(57)【要約】【課題】通常観察時にレチクルの指標線が標本の観察の妨げとなることがなく、かつカメラでの観察時と接眼レンズでの観察時とで違和感を生じさせることのない顕微鏡を提供すること。【解決手段】顕微鏡１は、標本を載置するステージと、標本を照射する照明光を発生する光源２４、照明光を標本に照射するコンデンサレンズ２２ａ、および標本に照射される照明光の範囲を調整する視野絞り２６１を有する透過照明光学系２０と、レチクル２７と、を備え、コンデンサレンズ２２ａは、透過照明光学系２０の光軸に沿って移動可能であり、レチクル２７は、視野絞り２６１の近傍であって、コンデンサレンズ２２ａの移動によって標本と共役になりうる位置に配置されている。【選択図】図２
2019032380.tif 000002
【特許請求の範囲】
【請求項１】
標本を載置するステージと、
前記標本を照射する照明光を発生する光源、前記照明光を前記標本に照射するコンデンサレンズ、および前記標本に照射される照明光の範囲を調整する視野絞りを有する透過照明光学系と、
指標部材と、
を備え、
前記コンデンサレンズは、前記透過照明光学系の光軸に沿って移動可能であり、
前記指標部材は、前記視野絞りの近傍であって、前記コンデンサレンズの移動によって前記標本と共役になりうる位置に配置されていることを特徴とする顕微鏡。
【請求項２】
前記視野絞りは、前記光源と前記コンデンサレンズとの間に配置され、
前記指標部材は、前記視野絞りと前記コンデンサレンズとの間に配置されていることを特徴とする請求項１に記載の顕微鏡。
【請求項３】
前記指標部材は、前記視野絞りにおける前記ステージの側に設けられた窓レンズの上面に、着脱自在に取り付けられていることを特徴とする請求項１または請求項２に記載の顕微鏡。
【請求項４】
前記指標部材は、前記視野絞りにおける前記ステージの側に設けられた窓レンズと一体的に構成されていることを特徴とする請求項１または請求項２に記載の顕微鏡。
【請求項５】
前記指標部材は、前記視野絞りの近傍において、前記光軸に沿って移動可能に構成されていることを特徴とする請求項１から請求項４のいずれか一項に記載の顕微鏡。
【請求項６】
前記光軸に挿入された対物レンズの倍率に応じて、前記指標部材における指標線の表示を制御する表示制御手段を備えることを特徴とする請求項１から請求項５のいずれか一項に記載の顕微鏡。
【請求項７】
前記光軸の方向における前記コンデンサレンズの位置に応じて、前記光源の光量を制御する光量制御手段をさらに備えることを特徴とする請求項１から請求項６のいずれか一項に記載の顕微鏡。
【請求項８】
前記指標部材は、外縁部に遮光領域を有することを特徴とする請求項１から請求項７のいずれか一項に記載の顕微鏡。
【発明の詳細な説明】
【技術分野】
【０００１】
本発明は、顕微鏡に関する。
【背景技術】
【０００２】
従来、十字線等の指標線が刻印されたガラス板からなるレチクル（レチクル板）を接眼レンズに挿入した顕微鏡が知られている。ユーザは、このようなレチクルを用いることにより、例えばがん細胞の浸潤度合いを見るために、表皮から何ｍｍにがん細胞が浸潤しているのかを測定したり、あるいはφ２２ｍｍの視野内にφ２０ｍｍの指標線を表示して、その中にある異常細胞をカウントして病気の進行度を決定したりすることが可能となる。
【０００３】
一方、レチクルの指標線は、測定対象となる細胞を指示したり、カウント範囲を規定する時にだけ表示されていればよく、通常観察時は邪魔になる。そこで、例えば特許文献１では、レチクルの指標線を、印加電圧に応じて透明／不透明が切り替わる電気光学素子で構成したものが提案されている。このように指標線を電気光学素子で構成することにより、必要な場合にのみ視野内に指標線を表示させることができるため、指標線が標本の観察の妨げとなることがない。
【先行技術文献】
【特許文献】
【０００４】
【特許文献１】実開昭５７−６８２０９号公報
【発明の概要】
【発明が解決しようとする課題】
【０００５】
しかしながら、特許文献１で提案されたレチクルを用いた場合、以下のような問題が発生する。まず、接眼レンズに挿入されたレチクルの指標線は、取り付け部に対する嵌合ガタや、指標線中心のバラつきにより、光軸垂直方向に対するエラーが生じやすい。また、接眼レンズとカメラとでは、観察する像の光路が異なるため、視野中心が異なる。このため、接眼レンズに挿入されたレチクルの指標線と、カメラで撮影した画像に対して重ねて表示した指標線とが一致しなくなる。従って、例えば教員現場において、教員がカメラで撮影した画像を介して標本を観察し、生徒が接眼レンズを介して標本を観察している場合において、教員が生徒に対して細胞の正確な位置等を指示することが困難となる。
【０００６】
また、指標線は、透明なガラス板に刻印されており、このガラス板を像面と共役な位置に挿入する。そのため、ガラス板に少しでも埃等の異物が付着していると、その異物が視野内に見えてしまう。しかしながら、カメラではその異物を確認することができないため、例えばカメラで撮影した画像を介して標本を観察しているユーザと、接眼レンズを介して標本を観察しているユーザとの間に、認識のズレが生じる。さらに、レチクルはガラス板で構成されているため、接眼レンズに挿入する際に慎重な作業が必要となり、ユーザにストレスを与えるという問題もある。
【０００７】
本発明は、上記に鑑みてなされたものであって、通常観察時にレチクルの指標線が標本の観察の妨げとなることがなく、かつカメラでの観察時と接眼レンズでの観察時とで違和感を生じさせることのない顕微鏡を提供することを目的とする。
【課題を解決するための手段】
【０００８】
上述した課題を解決し、目的を達成するために、本発明に係る顕微鏡は、標本を載置するステージと、前記標本を照射する照明光を発生する光源、前記照明光を前記標本に照射するコンデンサレンズ、および前記標本に照射される照明光の範囲を調整する視野絞りを有する透過照明光学系と、指標部材と、を備え、前記コンデンサレンズは、前記透過照明光学系の光軸に沿って移動可能であり、前記指標部材は、前記視野絞りの近傍であって、前記コンデンサレンズの移動によって前記標本と共役になりうる位置に配置されていることを特徴とする。
【０００９】
また、本発明に係る顕微鏡は、上記発明において、前記視野絞りは、前記光源と前記コンデンサレンズとの間に配置され、前記指標部材は、前記視野絞りと前記コンデンサレンズとの間に配置されていることを特徴とする。
【００１０】
また、本発明に係る顕微鏡は、上記発明において、前記指標部材は、前記視野絞りにおける前記ステージ側に設けられた窓レンズの上面に、着脱自在に取り付けられていることを特徴とする。
【００１１】
また、本発明に係る顕微鏡は、上記発明において、前記指標部材は、前記視野絞りにおける前記ステージ側に設けられた窓レンズと一体的に構成されていることを特徴とする。
【００１２】
また、本発明に係る顕微鏡は、上記発明において、前記指標部材は、前記視野絞りの近傍において、前記光軸に沿って移動可能に構成されていることを特徴とする。
【００１３】
また、本発明に係る顕微鏡は、上記発明において、前記光軸に挿入された対物レンズの倍率に応じて、前記指標部材における指標線の表示を制御する表示制御手段を備えることを特徴とする。
【００１４】
また、本発明に係る顕微鏡は、上記発明において、前記光軸方向における前記コンデンサレンズの位置に応じて、前記光源の光量を制御する光量制御手段をさらに備えることを特徴とする。
【００１５】
また、本発明に係る顕微鏡は、上記発明において前記指標部材は、外縁部に遮光領域を有することを特徴とする。
【発明の効果】
【００１６】
本発明によれば、コンデンサレンズの移動によって標本と共役になりうる位置に指標部材が配置されているため、通常観察時にレチクルの指標線が標本の観察の妨げとなることがなく、かつカメラでの観察時と接眼レンズでの観察時とでユーザに違和感を生じさせることがない。
【図面の簡単な説明】
【００１７】
【図１】図１は、本発明の実施の形態１に係る顕微鏡の構成を示す図である。
【図２】図２は、本発明の実施の形態１に係る顕微鏡の透過照明光学系の構成を示す拡大部分断面図である。
【図３Ａ】図３Ａは、本発明の実施の形態１に係る顕微鏡に適用可能なレチクルの一例を示す図である。
【図３Ｂ】図３Ｂは、本発明の実施の形態１に係る顕微鏡に適用可能なレチクルのその他の一例を示す図である。
【図３Ｃ】図３Ｃは、本発明の実施の形態１に係る顕微鏡に適用可能なレチクルのその他の一例を示す図である。
【図４Ａ】図４Ａは、本発明の実施の形態１に係る顕微鏡のアダプタの構成を示す図である。
【図４Ｂ】図４Ｂは、本発明の実施の形態１に係る顕微鏡のアダプタの構成を示す図である。
【図５】図５は、本発明の実施の形態２に係る顕微鏡の透過照明光学系の構成を示す拡大部分断面図である。
【図６】図６は、本発明の実施の形態３に係る顕微鏡の透過照明光学系の構成を示す拡大部分断面図である。
【図７】図７は、本発明の実施の形態４に係る顕微鏡の透過照明光学系の構成を示す拡大部分断面図である。
【図８】図８は、本発明の実施の形態５に係る顕微鏡の透過照明光学系の構成を示す図である。
【図９】図９は、本発明の実施の形態６に係る顕微鏡の透過照明光学系の構成を示す拡大部分断面図である。
【図１０】図１０は、本発明の実施の形態に係る顕微鏡のレチクルの変形例の構成を示す図である。
【発明を実施するための形態】
【００１８】
以下、本発明に係る顕微鏡の実施の形態について、図面を参照しながら説明する。なお、本発明は以下の実施の形態に限定されるものではなく、以下の実施の形態における構成要素には、当業者が置換可能かつ容易なもの、あるいは実質的に同一のものも含まれる。
【００１９】
（実施の形態１）
本発明の実施の形態１に係る顕微鏡１の構成について、図１〜図４を参照しながら説明する。本実施の形態に係る顕微鏡１は、図１に示すように、顕微鏡本体１０と、透過照明光学系２０と、対物レンズ３１と、レボルバ３２と、鏡筒３３と、接眼レンズ３５と、カメラアダプタ３６と、カメラ３７と、を主に備えている。
【００２０】
顕微鏡本体１０は、ベース部１１ａと、ベース部１１ａの背面側に立設する柱部１１ｂと、柱部１１ｂに支持されて正面側に向かって延在するアーム部１１ｃと、を有している。ベース部１１ａは、机上等の、顕微鏡１が設置される場所に直接載置される部分であり、内部に透過照明光学系２０が配置されている。
【００２１】
柱部１１ｂは、下端部でベース部１１ａと一体化されており、ステージ保持部材１２を介して、標本Ｓを載置するステージ２１を保持する。ステージ保持部材１２は、柱部１１ｂにおいて、光軸方向に配置された図示しないガイドに沿って移動可能に構成されている。なお、前記した「光軸」とは、透過照明光学系２０の光軸のことを示している。
【００２２】
ステージ保持部材１２に保持されるステージ２１は、ステージ焦準ハンドル１３の操作によって、光軸に沿って上下方向に移動する。これにより、ステージ２１上の標本Ｓと対物レンズ３１との間の相対距離が変化し、ピント調整が行われる。
【００２３】
ステージ保持部材１２は、コンデンサユニット２２を光軸に沿って移動可能にするコンデンサガイド１４を有している。コンデンサユニット２２は、コンデンサ焦準ハンドル１５の操作によって、上下方向に移動する。
【００２４】
レボルバ３２は、アーム部１１ｃの下面に取り付けられている。レボルバ３２には、倍率の異なる複数の対物レンズ３１が着脱自在に取り付けられている。そして、レボルバ３２が回転操作されることによって、選択した対物レンズ３１が光軸上に配置される。
【００２５】
鏡筒３３は、アーム部１１ｃの上面に着脱自在に取り付けられており、２つの接眼レンズ３５と、カメラアダプタ３６と、カメラ３７と、が取り付けられている。また、鏡筒３３には、接眼レンズ３５とカメラ３７との光路の切り替えを行う切り替えレバー３４が取り付けられている。
【００２６】
透過照明光学系２０は、標本Ｓを照射する照明光を発生する光源２４と、照明光を標本Ｓに照射するコンデンサユニット２２と、標本Ｓに照射される照明光の範囲を調整する視野絞りユニット２６と、を主に備えている。
【００２７】
透過照明光学系２０の光源２４から照射された照明光は、コレクタレンズ２５とコンデンサユニット２２を介して標本Ｓに照射される。標本Ｓを透過した光は、対物レンズ３１、鏡筒３３内の図示しない結像レンズで観察像が形成され、ユーザは接眼レンズ３５越し、またはカメラ３７で撮影した画像を介して、標本Ｓの像を観察することが可能である。
【００２８】
コンデンサユニット２２は、光軸に沿って移動可能に構成されており、内部にコンデンサレンズ２２ａを備えている。視野絞りユニット２６は、ベース部１１ａ上に配置されており、図２に示すように、視野絞り２６１と、ユニット本体２６２と、視野絞りハンドル２６３と、窓レンズ２６４と、を備えている。なお、同図では、ユニット本体２６２の上部、窓レンズ２６４、後記するレチクル２７およびアダプタ２８を、断面で示している。
【００２９】
視野絞り２６１は、光源２４とコンデンサレンズ２２ａとの間に配置されている。視野絞り２６１は、視野絞りハンドル２６３を回転させることにより、その径が変化する。また、コンデンサレンズ２２ａの心出しつまみ２３を操作することにより、コンデンサレンズ２２ａを、光軸に対して垂直方向に動かすことが可能となる。これにより、視野絞り２６１の中心を視野中心に合わせることができる。
【００３０】
窓レンズ２６４は、視野絞り２６１の上側、すなわちステージ２１の側に設けられており、埃等の異物が視野絞り２６１に入り込むことを防ぎ、かつユーザが視野絞り２６１に直接触れないようにしている。窓レンズ２６４の上面には、指標線が刻印されたガラス板からなるレチクル（指標部材）２７が配置されている。
【００３１】
レチクル２７は、視野絞り２６１とコンデンサレンズ２２ａとの間に配置されており、具体的には、視野絞り２６１の近傍であって、コンデンサユニット２２の移動によって標本Ｓと共役になりうる位置に配置されている。レチクル２７は、アダプタ２８を介して、窓レンズ２６４の上面に着脱自在に取り付けられている。
【００３２】
レチクル２７としては、例えば図３Ａに示すように、十字線２７１に目盛２７２が設けられた指標線が刻印されているものを用いることができる。また、レチクル２７に代えて、例えば図３Ｂに示すように、十字線２７１に複数の同心円２７３が設けられた指標線が刻印されたレチクル２７Ａを用いてもよい。また、レチクル２７に代えて、十字線２７１が設けられ、かつ外縁部に遮光領域２７４を有するレチクル２７Ｂを用いてもよい。このようなレチクル２７Ｂを用いることにより、遮光領域２７４によって外乱光を遮断することができ、かつレチクル２７Ｂを絞りとして機能させることができる。
【００３３】
なお、図３Ａの目盛２７２や図３Ｂの同心円２７３の間隔は、標本面で必要な間隔を考慮した値にする必要がある。例えば、指標線を標本面に投影した時の投影倍率が０．５倍であり、標本面で１ｍｍの線間隔を表示したい場合は、レチクル２７上の指標線の線間隔は、１ｍｍ／０．５＝２ｍｍに設定する。また、指標線の線幅についても線間隔と同様であり、例えば標本面で０．１ｍｍの線幅を表示したい場合は、レチクル２７上の指標線の線幅は、０．１ｍｍ／０．５＝０．２ｍｍに設定する。
【００３４】
アダプタ２８は、窓レンズ２６４の上面に着脱自在に取り付けられている。アダプタ２８は、図４Ａおよび図４Ｂに示すように、円環状に形成されたアダプタ本体２８１と、アダプタ本体２８１の内周から内側に延在したフランジ部２８２と、を有している。フランジ部２８２には、レチクル２７が固定、または着脱自在に取り付けられている。
【００３５】
ここで、視野絞り２６１と標本Ｓとが光学的に共役な位置関係である場合、透過照明光学系２０が光学的な理想状態となる。従って、接眼レンズ３５およびカメラ３７で観察すると、標本Ｓのみが見える。
【００３６】
一方、コンデンサ焦準ハンドル１５を操作し、コンデンサユニット２２を、透過照明光学系２０が光学的な理想状態である場合の位置よりも下げると、レチクル２７の指標線と標本Ｓとが光学的に共役な位置関係となる。従って、接眼レンズ３５およびカメラ３７で観察すると、標本Ｓに加えて、レチクル２７の指標線も見えるようになる。
【００３７】
以上のような構成を備える顕微鏡１によれば、コンデンサレンズ２２ａの移動によって標本Ｓと共役になりうる位置にレチクル２７が配置されているため、通常観察時にレチクル２７の指標線が標本Ｓの観察の妨げとなることがなく、かつカメラ３７での観察時と接眼レンズ３５での観察時とでユーザに違和感を生じさせることがない。
【００３８】
すなわち、顕微鏡１では、透過照明光学系２０が光学的な理想状態となるようにコンデンサユニット２２が配置されている場合、レチクル２７の指標線にはピントが合わず、指標線は見えない。一方、コンデンサユニット２２をレチクル２７に向かって光軸方向に下げると、共役な位置関係となったときにレチクル２７の指標線にピントが合い、指標線が見えるようになる。これにより、通常観察時はレチクル２７の指標線を表示させず、例えば測定対象となる細胞を指示したり、カウント範囲を規定したりする時にだけ、レチクル２７の指標線を表示させることができる。
【００３９】
また、顕微鏡１では、従来のようにカメラでソフト的に指標線を表示させるのではなく、カメラ３７と接眼レンズ３５とで同じレチクル２７を観察するため、カメラ３７で観察するレチクル２７の指標線と、接眼レンズ３５で観察するレチクル２７の指標線との位置関係が一致する。従って、例えば教員現場において、教員がカメラ３７で撮影した画像を介して標本Ｓを観察し、生徒が接眼レンズ３５を介して標本Ｓを観察している場合において、教員が生徒に対して細胞の正確な位置等を指示することが可能となる。
【００４０】
また、顕微鏡１では、窓レンズ２６４の上面にアダプタ２８を介してレチクル２７を配置するため、従来のような取り付け部に対する嵌合ガタや、光軸垂直方向に対するエラーも生じにくい。また、顕微鏡１では、窓レンズ２６４の上面にレチクル２７が配置されているため、仮にレチクル２７に埃等の異物が付着したとしても、容易に清掃することができる。
【００４１】
（実施の形態２）
本発明の実施の形態２に係る顕微鏡１Ａの構成について、図５を参照しながら説明する。なお、以下では、実施の形態１と同様の構成は説明および図示を省略し、当該実施の形態１と異なる構成についてのみ説明する。
【００４２】
顕微鏡１Ａは、図５に示すように、実施の形態１と比較して、視野絞りユニット２６Ａの構成が異なる。すなわち、視野絞りユニット２６Ａは、実施の形態１とは異なり、レチクル２７Ｃが窓レンズと一体的に構成されている。すなわち、レチクル２７Ｃは、視野絞りユニット２６Ａのユニット本体２６２の上部に固定されており、窓レンズの機能も兼ね備えている。
【００４３】
以上のような構成を備える顕微鏡１Ａによれば、前記した実施の形態１と同様に、通常観察時にレチクル２７Ｃの指標線が標本Ｓの観察の妨げとなることがなく、かつカメラ３７での観察時と接眼レンズ３５での観察時とでユーザに違和感を生じさせることがない。また、顕微鏡１Ａによれば、実施の形態１と比較して部品点数を減らすことができるため、コストを削減することができる。
【００４４】
（実施の形態３）
本発明の実施の形態３に係る顕微鏡１Ｂの構成について、図６を参照しながら説明する。なお、以下では、実施の形態１と同様の構成は説明および図示を省略し、当該実施の形態１と異なる構成についてのみ説明する。
【００４５】
顕微鏡１Ｂのレチクル２７は、図６に示すように、視野絞り２６１の近傍において、光軸に沿って移動可能に構成されている。すなわち、顕微鏡１Ｂでは、レチクル２７が窓レンズ２６４の上面ではなく、レチクルホルダ４１によって保持されている。
【００４６】
レチクルホルダ４１は、光軸方向に配置されたレチクルガイド４２に沿って移動可能に構成されている。レチクルガイド４２は、柱部１１ｂに設けられたレチクルガイド保持部４３に取り付けられている。また、レチクルホルダ４１に保持されたレチクル２７は、レチクル焦準ハンドル４４の操作により、光軸に沿って上下方向に移動する。
【００４７】
以上のような構成を備える顕微鏡１Ｂによれば、光軸方向におけるレチクル２７の位置によって、レチクル２７を標本面に投影した時の投影倍率を変化させることができる。これにより、接眼レンズ３５やカメラ３７で観察した際に、例えばレチクル２７の指標線の目盛２７２（図３Ａ参照）の間隔を任意に変化させることができる。従って、顕微鏡１Ｂによれば、一枚のレチクル２７を用いて、様々な縮尺で標本Ｓを観察することが可能となる。
【００４８】
（実施の形態４）
本発明の実施の形態４に係る顕微鏡１Ｃの構成について、図７を参照しながら説明する。なお、以下では、実施の形態１と同様の構成は説明および図示を省略し、当該実施の形態１と異なる構成についてのみ説明する。
【００４９】
顕微鏡１Ｃのレチクル２７は、図７に示すように、実施の形態３とは異なる方法により、視野絞り２６１の近傍において、光軸に沿って移動可能に構成されている。すなわち、顕微鏡１Ｃでは、視野絞りユニット２６がベース部１１ａ上ではなく、視野絞りユニットホルダ４５に保持されている。
【００５０】
視野絞りユニットホルダ４５は、光軸方向に配置された視野絞りユニットガイド４６に沿って移動可能に構成されている。視野絞りユニットガイド４６は、柱部１１ｂに設けられた視野絞りユニットガイド保持部４７に取り付けられている。また、視野絞りユニットホルダ４５に保持された視野絞りユニット２６およびレチクル２７は、視野絞り焦準ハンドル４８の操作により、光軸に沿って上下方向に移動する。
【００５１】
コンデンサユニット２２は、最上限位置で、光学的な理想位置に配置されるように調整されている。なお、視野絞りユニット２６を設けず、視野絞りユニットホルダ４５にレチクル２７を直に配置する構成でよい。
【００５２】
以上のような構成を備える顕微鏡１Ｃによれば、前記した実施の形態３と同様に、光軸方向におけるレチクル２７の位置によって、レチクル２７を標本面に投影した時の投影倍率を変化させることができるため、一枚のレチクル２７を用いて、様々な縮尺で標本Ｓを観察することが可能となる。
【００５３】
（実施の形態５）
本発明の実施の形態５に係る顕微鏡１Ｄの構成について、図８を参照しながら説明する。なお、以下では、実施の形態１と同様の構成は説明および図示を省略し、当該実施の形態１と異なる構成についてのみ説明する。
【００５４】
顕微鏡１Ｄは、図８に示すように、対物レンズ３１の倍率に応じて、レチクル２７Ｄにおける指標線の表示を制御する表示制御手段を備えている。レチクル２７Ｄは、液晶ディスプレイによって構成されている。顕微鏡１Ｄは、実施の形態１の構成に加えて、アドレスセンサ４９と、レボルバ位置検出回路５０と、ＣＰＵ（Central  Processing  Unit）５１と、表示制御手段として機能するグラフィックコントローラ（Graphics  Controller）５２と、をさらに備えている。なお、グラフィックコントローラ５２は、ＣＰＵやＧＰＵ（Graphics  Processing  Unit）等の集積回路によって構成される。
【００５５】
アドレスセンサ４９は、光軸に挿入された対物レンズ３１の位置を検出するためのホール素子等からなり、レボルバ３２に内蔵されている。アドレスセンサ４９からの情報は、レボルバ位置検出回路５０およびＣＰＵ５１を介して、グラフィックコントローラ５２に入力される。これを受けて、グラフィックコントローラ５２は、液晶ディスプレイからなるレチクル２７Ｄの表示内容を変更する。
【００５６】
以上のような構成を備える顕微鏡１Ｄによれば、対物レンズ３１の倍率に応じて、レチクル２７Ｄの指標線の線幅や線間隔を最適なものに変更することができる。
【００５７】
（実施の形態６）
本発明の実施の形態６に係る顕微鏡１Ｅの構成について、図９を参照しながら説明する。なお、以下では、実施の形態１と同様の構成は説明および図示を省略し、当該実施の形態１と異なる構成についてのみ説明する。
【００５８】
顕微鏡１Ｅは、図９に示すように、光軸方向におけるコンデンサレンズ２２ａの位置に応じて、光源２４の光量を制御する光量制御手段を備えている。顕微鏡１Ｅは、実施の形態１の構成に加えて、フォトインタラプタ５３と、板部材５４と、センサｏｎ／ｏｆｆ検出回路５５と、ＣＰＵ５６と、Ｄ／Ａコンバータ５７と、光量制御手段として機能するドライブ回路５８と、をさらに備えている。
【００５９】
フォトインタラプタ５３は、ステージ保持部材１２に取り付けられている。板部材５４は、コンデンサユニット２２に取り付けられている。コンデンサユニット２２が光学的な理想位置に配置されている場合、板部材５４がフォトインタラプタ５３を遮ってセンサｏｎとなる。一方、コンデンサユニット２２が光学的な理想位置から下がった位置に配置されていると、板部材５４がフォトインタラプタ５３から外れてセンサｏｆｆとなる。センサｏｎとセンサｏｆｆの状態は、フォトインタラプタ５３に接続されたセンサｏｎ／ｏｆｆ検出回路５５によって検出される。
【００６０】
センサｏｎ／ｏｆｆ検出回路５５で検知された信号は、ＣＰＵ５６およびＤ／Ａコンバータ５７を介してドライブ回路５８に入力される。これを受けてドライブ回路５８は、光源２４の照明光の明るさを制御する。光源２４は、ドライブ回路５８の制御に基づいて、センサｏｎ時の明るさを基準として、センサｏｆｆ時に予め設定された割合だけ照明光の明るさを大きくする。
【００６１】
ここで、光源２４の明るさが不変である場合、コンデンサユニット２２が光学的な理想位置から下がると、接眼レンズ３５やカメラ３７で観察した際の明るさが小さくなる。一方、前記したような構成を備える顕微鏡１Ｅによれば、コンデンサユニット２２の位置に応じて、照明光を最適な明るさに調整することができるため、接眼レンズ３５やカメラ３７で観察した際の明るさを一定にすることができる。
【００６２】
以上、本発明に係る顕微鏡について、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００６３】
例えば、前記した実施の形態１，３，４，６では、レチクル２７（またはレチクル２７Ａ，２７Ｂ）に代えて、図１０に示すようなレチクル２７Ｅを用いることができる。レチクル２７Ｅは、円筒状のワイヤ枠２７５と、ワイヤ枠２７５に十字状に張られたワイヤ２７６と、を有している。
【００６４】
このような構成からなるレチクル２７Ｅを、例えばアダプタ２８（図２、図７および図９参照）や、レチクルホルダ４１（図６参照）に固定、または着脱可能に取り付けて用いることができる。このように、レチクル２７Ｅの指標線をワイヤ２７６で構成することにより、埃等の異物が溜まりにくくなるため、当該異物が視野内に見えてしまうリスクを低減することができる。なお、標本Ｓを観察する際の倍率によって、レチクル２７Ｅのワイヤ２７６の太さを変えてもよい。すなわち、標本Ｓを高倍率で観察する場合はワイヤ２７６の細いレチクル２７Ｅを用い、標本Ｓを低倍率で観察する場合はワイヤ２７６の太いレチクル２７Ｅを用いてもよい。
【００６５】
また、前記した実施の形態１では、レチクル２７は、アダプタ２８を介して、窓レンズ２６４の上面に取り付けられているが、アダプタ２８を用いることなくレチクル２７のみを窓レンズ２６４の上面に配置してもよい。この場合、レチクル２７の中心を光軸に合わせる位置合わせが必要となる。
【００６６】
また、前記した実施の形態１では、例えばレチクル２７と窓レンズ２６４との間に、透明なスペーサを設置して高さを調整してもよい。これにより、光軸方向におけるレチクル２７の位置を変更することができるため、前記した実施の形態３，４と同様に、レチクル２７を標本面に投影した時の投影倍率を変化させることができるため、一枚のレチクル２７を用いて、様々な縮尺で標本Ｓを観察することが可能となる。
【符号の説明】
【００６７】
１，１Ａ，１Ｂ，１Ｃ，１Ｄ，１Ｅ  顕微鏡
１０  顕微鏡本体
１１ａ  ベース部
１１ｂ  柱部
１１ｃ  アーム部
１２  ステージ保持部材
１３  ステージ焦準ハンドル
１４  コンデンサガイド
１５  コンデンサ焦準ハンドル
２０  透過照明光学系
２１  ステージ
２２  コンデンサユニット
２３  心出しつまみ
２４  光源
２５  コレクタレンズ
２６  視野絞りユニット
２６１  視野絞り
２６２  ユニット本体
２６３  視野絞りハンドル
２６４  窓レンズ
２７，２７Ａ，２７Ｂ，２７Ｃ，２７Ｄ，２７Ｅ  レチクル（指標部材）
２７１  十字線
２７２  目盛
２７３  同心円
２７４  遮光領域
２７５  ワイヤ枠
２７６  ワイヤ
２８  アダプタ
２８１  アダプタ本体
２８２  フランジ部
３１  対物レンズ
３２  レボルバ
３３  鏡筒
３４  切り替えレバー
３５  接眼レンズ
３６  カメラアダプタ
３７  カメラ
４１  レチクルホルダ
４２  レチクルガイド
４３  レチクルガイド保持部
４４  レチクル焦準ハンドル
４５  視野絞りユニットホルダ
４６  視野絞りユニットガイド
４７  視野絞りユニットガイド保持部
４８  視野絞り焦準ハンドル
４９  アドレスセンサ
５０  レボルバ位置検出回路
５１，５６  ＣＰＵ
５２  グラフィックコントローラ（表示制御手段）
５３  フォトインタラプタ
５４  板部材
５５  センサｏｎ／ｏｆｆ検出回路
５７  Ｄ／Ａコンバータ
５８  ドライブ回路（光量制御手段）
【図１】
2019032380.tif 000003
【図２】
2019032380.tif 000004
【図３Ａ】
2019032380.tif 000005
【図３Ｂ】
2019032380.tif 000006
【図３Ｃ】
2019032380.tif 000007
【図４Ａ】
2019032380.tif 000008
【図４Ｂ】
2019032380.tif 000009
【図５】
2019032380.tif 000010
【図６】
2019032380.tif 000011
【図７】
2019032380.tif 000012
【図８】
2019032380.tif 000013
【図９】
2019032380.tif 000014
【図１０】
2019032380.tif 000015